(57)【特許請求の範囲】
【請求項１】
エミッタ先端を形成する先鋭な末端を有するエミッタワイヤであって、その軸が電子源放出軸を規定するエミッタワイヤと、
前記エミッタ先端の前方に配置される引出電極であって、ほぼ中心に前記電子源放出軸が位置する開口を有する引出電極と、
前記エミッタ先端の後方に配置されるエミッタ包囲電極であって、ほぼ中心に前記電子源放出軸が位置し、前記エミッタワイヤの直径より大きい直径の開口を有し、前記エミッタ先端の少なくとも一部が前記開口を介して突き出るように、かつ、前記エミッタ先端の近傍において前記電子源放出軸に対して略垂直となるように配置されるエミッタ包囲電極と、
前記エミッタ包囲電極と前記引出電極との間に配置されるクリーニングフィラメントであって、前記引出電極に対向している前記エミッタ包囲電極の表面と前記エミッタ包囲電極に対向している前記引出電極の表面への電子衝撃が可能であり、電子衝撃と輻射熱との組合せによって前記エミッタ包囲電極及び前記引出電極をクリーニングするクリーニングフィラメントと、を備え、
前記エミッタ包囲電極及び前記引出電極が部分的に閉じた空間を形成し、前記部分的に閉じた空間は、前記エミッタ先端の領域へガス分子が流入することを低減し、前記エミッタ包囲電極及び前記引出電極の各表面にイオン分子及び中性分子が生成することを制限し、前記引出電極で生成された後方散乱電子が電子銃内の他の表面に到達することを防止することを特徴とする冷陰極電界放出型電子源。
【請求項２】
前記クリーニングフィラメントは、環状形状を有し、ほぼ中心に前記電子源放出軸が位置することを特徴とする請求項１に記載の冷陰極電界放出型電子源。
【請求項３】
引出電圧源を備え、前記エミッタワイヤと前記引出電極との間に引出電圧を印加するように構成され、前記引出電圧が前記エミッタ先端から前記引出電極に向けて冷陰極電界放出を誘導することを特徴とする請求項１又は２に記載の冷陰極電界放出型電子源。
【請求項４】
フィラメント電流源を備え、前記クリーニングフィラメントを介して電流を提供するように構成され、前記クリーニングフィラメントをジュール加熱することを特徴とする請求項１乃至３の何れか１項に記載の冷陰極電界放出型電子源。
【請求項５】
クリーニングフィラメントバイアス電圧源を備え、前記クリーニングフィラメントと前記エミッタ包囲電極及び前記引出電極の両方との間に電圧を印加するように構成され、前記エミッタ包囲電極及び前記エミッタワイヤに対向する前記引出電極の表面に衝撃を与えるように前記クリーニングフィラメントから熱電子放出を誘導し、その電子衝撃が前記エミッタ包囲電極及び前記引出電極からの分子の電子衝突脱離を促すことを特徴とする請求項１乃至４の何れか１項に記載の冷陰極電界放出型電子源。
【請求項６】
前記エミッタ包囲電極と前記引出電極との間の空間がギャップを規定し、そのギャップの幅は、前記エミッタ先端から離れるにつれて小さくなることを特徴とする請求項１乃至５の何れか１項に記載の冷陰極電界放出型電子源。
【請求項７】
前記引出電極は、前記エミッタ先端に対向し、かつ前記電子源放出軸を中心とする窪みを備え、
前記窪みは、前記エミッタ包囲電極と前記引出電極との間に向かう前記引出電極で生成された後方散乱電子の量を制限するように構成されることを特徴とする請求項１乃至６の何れか１項に記載の冷陰極電界放出型電子源。
【請求項８】
前記窪みは、カウンタボアであることを特徴とする請求項７に記載の冷陰極電界放出型電子源。
【請求項９】
エミッタ先端を有するエミッタワイヤと、エミッタ包囲電極と、引出電極と、前記エミッタ包囲電極と前記引出電極との間に配置されるクリーニングフィラメントとを含む冷陰極電界放出型エミッタ電子源の操作方法であって、
前記エミッタ先端の周囲に部分的に閉じた空間を形成し、前記エミッタ先端の少なくとも一部が前記部分的に閉じた空間に突き出るように設けられ、
前記クリーニングフィラメントを加熱して、その輻射熱によって前記エミッタ包囲電極及び前記引出電極を加熱するとともに、放出電子を前記引出電極に対向している前記エミッタ包囲電極の表面と前記エミッタ包囲電極に対向している前記引出電極の表面に衝突させ、電子衝撃と輻射熱との組合せによって前記エミッタ包囲電極及び前記引出電極をクリーニングし、
前記クリーニングフィラメントの加熱を停止し、
前記冷陰極電界放出型エミッタ電子源から冷陰極電界電子放出を誘導するように前記引出電極に引出電圧を印加し、
前記エミッタ先端の領域へガス分子が流入することを低減し、前記エミッタ包囲電極及び前記引出電極の各表面にイオン分子及び中性分子が生成することを制限し、前記引出電極で生成された後方散乱電子が電子銃内の他の表面に到達することを防止することを特徴とする操作方法。
【請求項１０】
前記クリーニングフィラメントを加熱する際は、ほぼ中心に前記エミッタワイヤが位置する環状の前記クリーニングフィラメントを加熱することを特徴とする請求項９に記載の操作方法。
【請求項１１】
前記クリーニングフィラメントを加熱する際は、前記引出電極及び前記エミッタ包囲電極が十分に加熱されるように前記クリーニングフィラメントを加熱してそれらの上の吸着分子を脱離させることを特徴とする請求項９又は１０に記載の操作方法。
【請求項１２】
前記クリーニングフィラメントと前記エミッタ包囲電極及び／又は前記引出電極との間に電気的バイアスを印加して前記エミッタ包囲電極及び／又は前記引出電極への電子衝撃を誘導することを特徴とする請求項９乃至１１の何れか１項に記載の操作方法。
【請求項１３】
前記クリーニングフィラメントを加熱する際は、前記エミッタ包囲電極と前記引出電極との間の閉じ込め空間内の前記クリーニングフィラメントを加熱することを特徴とする請求項９乃至１２の何れか１項に記載の操作方法。
【請求項１４】
前記閉じ込め空間は、前記エミッタワイヤによって規定されるエミッタ軸から離れた点より前記エミッタ軸の近くでより広くなることを特徴とする請求項１３に記載の操作方法。
【請求項１５】
エミッタワイヤと、エミッタ包囲電極と、引出電極とを含む冷陰極電界放出型エミッタ電子源の製造方法であって、
エミッタ先端及びエミッタ軸を有するエミッタワイヤを供給し、
前記エミッタ軸上に開口を有し、前記開口を介して前記エミッタワイヤが突き出るエミッタ包囲電極を供給し、
前記エミッタ軸に沿って電子ビームが通過する開口を有する引出電極を供給し、
前記引出電極と前記エミッタ包囲電極との間に、前記引出電極に対向している前記エミッタ包囲電極の表面と前記エミッタ包囲電極に対向している前記引出電極の表面への電子衝撃を可能とし、電子衝撃と輻射熱との組合せによって前記エミッタ包囲電極及び前記引出電極をクリーニングするためのクリーニングフィラメントを供給して、
前記エミッタ包囲電極及び前記引出電極が前記エミッタ先端を含む閉じ込め空間を形成するように構成され、前記閉じ込め空間が、前記引出電極から後方散乱された電子の経路を制限すること、及び／又は、前記閉じ込め空間へのガスの流れを低減することを特徴とする製造方法。
【請求項１６】
前記エミッタ軸を中心とする環状の前記クリーニングフィラメントを供給することを特徴とする請求項１５に記載の製造方法。
【請求項１７】
前記引出電極を供給する際に、前記開口の端部での前記引出電極から前記エミッタ包囲電極までの第１の距離と、前記開口から離れたところでの前記引出電極から前記エミッタ包囲電極までの第２の距離とを有する引出電極を供給し、前記第２の距離が前記第１の距離より短い閉じ込め空間を形成することを特徴とする請求項１５又は１６に記載の製造方法。
【請求項１８】
前記引出電極を供給する際に、前記開口を中心とする皿穴を有する引出電極を供給し、前記第１の距離が前記皿穴の底部と前記エミッタ包囲電極との間の距離であり、前記第２の距離が前記皿穴の頂部から前記エミッタ包囲電極までの距離であることを特徴とする請求項１７に記載の製造方法。
【発明の詳細な説明】
【技術分野】
【０００１】
本発明は、電子源に関し、特に集束電子ビームシステムに適用する冷陰極電界放出型電子源に関する。
【背景技術】
【０００２】
集束電子ビームシステムにおいて、カラムは、ビームを用いた画像化及び処理（任意選択）がなされるように、典型的にはターゲットの表面上に電子ビームを集束するように使用される。これらのカラムでは、電子源は初期電子ビームを生成し、次いで初期電子ビームは、電子「銃」に渡され、電子銃は、典型的には、荷電粒子をカラム主体部に入射する略平行ビームに集束させる。熱電子陰極型、ショットキー型エミッタ、及び冷陰極電界放出型エミッタ（ＣＦＥ）を含む各種の電子源が集束電子ビームシステムに使用されている。これらのうち、ＣＦＥは、最大の輝度及び最小のエネルギー幅という特徴があり、最大電流密度でターゲットにおいて最小ビームサイズを実現できる可能性があり、これによって画像分解能を改善できる可能性がある。しかし残念ながら、ＣＦＥ電子源は、良好な超高真空条件（〜１０-10Ｔｏｒｒ）であってさえも、放出電流が非常に短い時間（〜０．５ないし１．５時間）で失われてしまう傾向が示されている。この問題を解決あるいは改善する試みで、ＦＥＩ社（オレゴン州ヒルズボロ）は、従来のＣＦＥ電子源（非酸化物の先端（ｔｉｐ））よりずっと長期の安定性を示す酸化タングステン（１１１）のＣＦＥを開発し、特許（ＴｅｓｓｎｅｒＩＩらによる米国特許第７８８８６５４号「冷陰極電界放出型エミッタ（Ｃｏｌｄ  Ｆｉｅｌｄ  Ｅｍｉｔｔｅｒ）」）を取得した。しかしながら、これらの改善されたＣＦＥ電子源でも、短時間の電子源操作の後、依然として放出電流の雑音が示される。したがって、低雑音でありながら改善された放出安定性を有するＣＦＥ電子源が求められている。
【先行技術文献】
【特許文献】
【０００３】
【特許文献１】米国特許第７８８８６５４号明細書
【発明の概要】
【発明が解決しようとする課題】
【０００４】
本発明の目的は、改善された放出安定性と低雑音を有する冷陰極電界放出型エミッタ（ＣＦＥ）の電子源を提供することである。本発明のいくつかの実施形態では、エミッタ包囲電極（ｅｍｉｔｔｅｒ  ｅｎｃｌｏｓｕｒｅ  ｅｌｅｃｔｒｏｄｅ）と引出電極との間に配置されるフィラメントが、エミッタ先端付近の表面をクリーニングするように使用される。いくつかの実施形態では、エミッタ包囲電極と引出電極との間のギャップは、後方散乱電子の経路を制限するように、及び／又は、先端領域へのガス分子の流入を低減するように構成される。本発明の実施形態では、著しくＣＦＥの安定性が向上し、雑音が低減されることが示される。
【０００５】
上記は、以下の本発明の特徴と技術的利点を概説したものであり、以下に記載された本発明の詳細な説明をより良く理解するためのものである。その他の本発明の特徴及び利点については以下に説明する。当業者によれば、ここに開示された概念及び特定の実施形態は、本発明と同様の目的を達成するために、改良や他の構成に変形する基礎として容易に利用できるものと理解される。また、当業者は、かかる均等な構成についても、添付された特許請求の範囲に記載された発明の趣旨と範囲から逸脱しないものと理解する。
【課題を解決するための手段】
【０００６】
本発明のいくつかの実施形態によれば、冷陰極電界放出型電子源は、エミッタ先端を形成する先鋭な末端を有する電子エミッタであって、その軸が電子源放出軸を規定する電子エミッタと、前記エミッタ先端の前方に配置される引出電極であって、ほぼ中心に前記電子源放出軸が位置する開口を有する引出電極と、前記エミッタ先端の後方に配置されるエミッタ包囲電極と、を備え、前記エミッタ包囲電極は、ほぼ中心に前記電子源放出軸が位置し、エミッタワイヤの直径より大きい直径の開口を有する。
【０００７】
いくつかの実施形態では、冷陰極電界放出型電子源は、前記エミッタ包囲電極と前記引出電極との間に配置されるクリーニングフィラメントを備える。いくつかの実施形態では、前記クリーニングフィラメントは、環状形状を有し、ほぼ中心に前記電子源放出軸が位置する。
【０００８】
いくつかの実施形態では、冷陰極電界放出型電子源は、引出電圧源を備え、前記エミッタワイヤと前記引出電極との間に引出電圧を印加するように構成され、前記引出電圧が前記エミッタ先端から前記引出電極に向けて冷陰極電界放出を誘導する。
【０００９】
いくつかの実施形態では、冷陰極電界放出型電子源は、フィラメント電流源を備え、前記クリーニングフィラメントを介して電流を提供するように構成され、前記クリーニングフィラメントをジュール加熱する。
【００１０】
いくつかの実施形態では、冷陰極電界放出型電子源は、クリーニングフィラメントバイアス電圧源を備え、前記クリーニングフィラメントと前記エミッタ包囲電極及び引出電極の両方との間に電圧を印加するように構成され、前記エミッタ包囲電極及び前記エミッタワイヤに対向する引出電極の表面に衝撃を与えるように前記クリーニングフィラメントから熱電子放出を誘導し、その電子衝撃が前記エミッタ包囲電極及び引出電極からの分子の電子衝突脱離を促す。
【００１１】
いくつかの実施形態では、前記エミッタ包囲電極と前記引出電極との間の空間がギャップを規定し、そのギャップの幅は、前記エミッタ先端から離れるにつれて小さくなる。
【００１２】
いくつかの実施形態では、前記引出電極は、前記エミッタ先端に対向し、かつ前記電子源放出軸を中心とする窪みを備え、前記窪みは、前記エミッタ包囲電極と前記引出電極との間に向かう前記引出電極で生成された後方散乱電子の量を制限するように構成される。いくつかの実施形態では、前記窪みは、カウンタボアである。
【００１３】
本発明のいくつかの実施形態によれば、エミッタ先端を有するエミッタと、エミッタ包囲電極と、引出電極とを含む冷陰極電界放出型電子源の操作方法は、前記エミッタ包囲電極と前記引出電極との間に配置されたフィラメントを加熱し、前記フィラメントの加熱を停止し、前記冷陰極電界放出型電子源から冷陰極電界電子放出を誘導するように前記引出電極に引出電圧を印加する。
【００１４】
いくつかの実施形態では、前記エミッタ包囲電極と前記引出電極との間に配置されたフィラメントを加熱する際は、ほぼ中心に前記エミッタが位置する環状フィラメントを加熱する。いくつかの実施形態では、前記エミッタ包囲電極と前記引出電極との間に配置されたフィラメントを加熱する際は、前記引出電極及びエミッタ包囲電極が十分に加熱されるように前記フィラメントを加熱してそれらの上の吸着分子を脱離させる。いくつかの実施形態では、前記エミッタ包囲電極と前記引出電極との間に配置されたフィラメントを加熱する際は、前記エミッタ包囲電極と前記引出電極との間の閉じ込め空間内のフィラメントを加熱する。
【００１５】
いくつかの実施形態では、冷陰極電界放出型電子源は、前記フィラメントと前記エミッタ包囲電極及び／又は引出電極との間に電気的バイアスを印加して前記エミッタ包囲電極及び／又は前記引出電極への電子衝撃を誘導する。
【００１６】
本発明のいくつかの実施形態によれば、エミッタ先端を有するエミッタと、エミッタ包囲電極と、引出電極とを含む冷陰極電界放出型電子源の製造方法は、エミッタ先端及びエミッタ軸を有するエミッタを提供し、前記エミッタ軸上に開口を有し、前記開口を介して前記エミッタが突き出るエミッタ包囲電極を提供し、前記エミッタ軸に沿って電子ビームが通過する開口を有する引出電極を提供し、前記エミッタ包囲電極及び引出電極が前記エミッタ先端を含む閉じ込め空間を形成するように構成され、前記閉じ込め空間が、前記引出電極から後方散乱された電子の経路を制限すること、及び／又は、前記閉じ込め空間へのガスの流れを低減する。
【００１７】
いくつかの実施形態では、前記閉じ込め空間は、前記光軸から離れた点より前記光軸の近くでより広くなる。
【００１８】
いくつかの実施形態では、前記引出電極と前記エミッタ包囲電極との間にフィラメントを提供する。いくつかの実施形態では、前記引出電極と前記エミッタ包囲電極との間にフィラメントを提供する際、前記エミッタ軸を中心とする環状のフィラメントを提供する。
【００１９】
いくつかの実施形態では、前記エミッタ軸に沿って電子ビームが通過する開口を有する引出電極を提供する際、前記開口の端部での前記引出電極から前記エミッタ包囲電極までの第１の距離と、前記開口から離れたところでの前記引出電極から前記エミッタ包囲電極までの第２の距離とを有する引出電極を提供し、前記第２の距離が、閉じ込め空間を形成するように前記第１の距離より短い。
【００２０】
いくつかの実施形態では、前記エミッタ軸に沿って電子ビームが通過する開口を有する引出電極を提供する際、前記開口を中心とする皿穴を有する引出電極を提供し、前記第１の距離が前記皿穴の底部と前記エミッタ包囲電極との間の距離であり、前記第２の距離が前記皿穴の頂部から前記エミッタ包囲電極までの距離である。
【００２１】
本発明とその利点をより完全に理解するため、添付の図面と併せて以下の説明を参照されたい。
【図面の簡単な説明】
【００２２】
【図１】軸上の放出電流の安定性を測定するための試験装置における従来の冷陰極電界放出型エミッタ電子源の概略図である。
【図２】従来の冷陰極電界放出型エミッタ電子源の実験結果のグラフであり、放出の消失を示す。
【図３】従来の冷陰極電界放出型エミッタ電子源の実験結果のグラフであり、放出の望ましくない不安定性を示す。
【図４】電子源ベースにおいてガス脱離用フィラメントを有する従来の冷陰極電界放出型エミッタ電子源の概略図である。
【図５】本発明の冷陰極電界放出型エミッタ電子源の概略図であり、ガス脱離モードで操作する。
【図６】本発明の冷陰極電界放出型エミッタ電子源の概略図であり、軸上の放出電流の安定性を測定するための試験装置において冷陰極電界放出モードで操作する。
【図７】本発明の冷陰極電界放出型エミッタ電子源の一部の概略図であり、第１の実施形態のソース先端領域を示す。
【図８】本発明の冷陰極電界放出型エミッタ電子源の一部の概略図であり、第２の実施形態のソース先端領域を示す。
【図９】本発明の冷陰極電界放出型エミッタ電子源の一部の概略図であり、第３の実施形態のソース先端領域を示す。
【図１０】本発明の冷陰極電界放出型エミッタ電子源の実験結果のグラフである。
【図１１】本発明の冷陰極電界放出型エミッタ電子源の製造方法を示すフローチャートである。
【図１２】本発明の実施形態の典型的な操作を示すフローチャートである。
【発明を実施するための形態】
【００２３】
本発明の実施形態は、改善された放出安定性及び低雑音を有する冷陰極電界エミッタ（ＣＦＥ）電子源を提供する。実施形態では、ＣＦＥ電子源の通常の冷陰極電界放出の操作中において、エミッタ先端へのイオン及び中性分子の衝撃のレベルを大幅に低減すると考えられる電子源の構造を提供し、一方で、また、電子ビームによって衝撃を受ける表面上の吸着物の蓄積率を低減する。いくつかの実施形態では、これは、エミッタ包囲電極と引出電極との間のエミッタ先端を囲い込むことによって、そして、電子衝撃と輻射熱との組合せによって内部の表面の両方を完全にクリーニングすることによって達成される。このクリーニングプロセスは、エミッタ包囲電極及び引出電極の内側表面への熱電子放出による衝撃と、これらの表面への熱輻射とを可能とするフィラメントを利用する。電子衝撃及び熱の両方は、電子ビームを生成するＣＦＥ放出を開始する前に、これらの表面から実質的にすべての吸着物を除去するのに役立つ。熱電子放出のフィラメントは、環状であり、かつ放出軸を中心としてもよい。あるいは、フィラメントからの放出及び／又は輻射がエミッタ包囲電極及び引出電極の表面に十分に配分されてその表面を適切にクリーニングできれば、任意の形状、任意の配置又は方向であってもよい。
【００２４】
いくつかの実施形態では、エミッタ先端に対向する引出電極側におけるカウンタボアや皿穴などの閉じ込め構造は、エミッタに対するＣＦＥ電子の衝突によって生成される後方散乱電子（ＢＳＥ）を制限するのに役立ち、これらのＢＳＥが脱離可能なガス層を有する可能性がある電子銃内の表面に衝突するのを防ぐ。研究によれば、先端における放出の不安定性の原因は、吸着物による汚染、及びイオン衝撃による先端形状の幾何学的変化に起因する局所的な仕事関数及び電界の変化であることが示されている。以下の議論では、これらの影響の要因を考察する。
【００２５】
はじめに、従来技術でのＣＦＥ放出の安定性及び雑音の測定について議論する。これは、観測された放出の不安定性の要因に関する分析を含む。文脈の中で、実験的に示された本発明の利点を述べるために雑音及び放出の消失の定量的な測定が提示される。次いで、雑音を低減し、安定性を向上させる従来技術の試みについて説明する。これは、ＣＦＥ電子源についての雑音及び安定性の問題を完全に解決するに際してこれらの試みが失敗した原因を含む。最後に、本発明の電子源構造を提示し、ガス脱離とＣＦＥ各モードの両方の操作方法が記述される。
【００２６】
［従来技術のＣＦＥ電子源の放出電流の安定性の測定］
図１は、軸上の放出電流の安定性を測定するための試験装置における冷陰極電界エミッタ（ＣＦＥ）電子源１００の概略図である。ＣＦＥエミッタ先端１０３ないしその近傍において種々の物理現象が発生すると、走査型電子顕微鏡（ＳＥＭ）、透過型電子顕微鏡（ＴＥＭ）又は走査透過型電子顕微鏡（ＳＴＥＭ）などの集束電子ビームシステムにおける電子源の安定性及び雑音レベルに有害な影響を与える可能性がある。典型的なＣＦＥ電子源では、電子は、支持フィラメント１０４に接合された指向ワイヤ１０２の先鋭な端部１０３から放出される。エミッタ先端１０３と引出電極１０８との間に印加されるバイアス電圧は、先端１０３の表面に非常に強い電界を形成し、これによって、先端の表面において先端１０３から真空中へ抜け出る電子のトンネリングを引き起こす。これらの放出電子は、図１の右側の方へ向けられるビーム１０６を形成する。ビーム１０６の電子の大部分は、引出電極１０８の領域１１０に衝突するが、放出の分布の中心の一部は、引出電極１０８の開口１１３を通過してビーム１１２を形成する。放出安定性を測定するための試験装置は、遮蔽板１１４、及び電流計１２２に電気的に接続されたファラデーカップ１２０を備える。収集された電流は、電位計１２２によって測定され、次いでシステムの接地部１２４に渡される。典型的な集束電子ビームシステムでは、先端１０３からの放出分布の中心のごくわずかな部分のみが試料での最終ビーム電流に寄与するので、ここに図示された試験装置は、中心部のみを測定するように構成されているが、実際の装置では拡がりのある放出分布の他の部分は取り除かれる（すなわち、試料を通過することを阻止）。
【００２７】
引出電極１０８の領域１１０にビーム１０６が衝突すると、二次電子（ＳＥ）１６０の放出を引き起こす。先端１０３と引出電極１０８との間の電位差の大部分は、先端１０３近傍に電界を形成するが、図１の曲がった軌跡に示されるように、二次電子１６０（低エネルギーを有する）を引き付けて引出電極１０８に戻すのに十分な残留の電界が領域１００の近くに留まったままとなる。引出電極の領域１１０にビーム１０６が衝突すると、また、後方散乱電子（ＢＳＥ）１３０の放出を引き起こす。ＢＳＥの大部分は、ビーム１０６からの衝突電子とほぼ同じエネルギーを有し、したがって、図示されたように、領域１１０での小さな電界ではＢＳＥ１３０が電子銃の空間全体へ向かうのを阻止することができない。一部のＢＳＥ１３０については、先端１０３から十分遠く離れた電子銃の領域に伝搬して、電子源の操作に明らかな影響を与えることがない。ＢＳＥ１３２は、表面１３６に衝突し、ガス分子１３４を脱離させると考えられ、このガス分子は、エミッタ先端１０３に向かって移動し、先端１０３の構造に対してスパッタによる損傷を与えるか、あるいは先端１０３上に吸着してしまう可能性がある。先端１０３の他方の側面では、ＢＳＥ１４２は、表面１３８からの分子１４４を脱離、イオン化させ、先端１０３に向かって移動させる。先端１０３上の負のバイアス電圧によって、イオン１４４は先端１０３に向かって加速され、先端１０３への衝突点近傍の局所的な先端構造に対してスパッタによる損傷を与える可能性がある。なお、表面１３６及び１３８は、先端１０３から冷陰極電界放出を開始する前のクリーニングされていない（すなわち、吸着分子はそこから脱離していない）電子銃内のいずれかの表面を示すものであり、表面１３６及び１３８は、典型的な実際の電子源の場合よりも先端１０３に近くなるように示されている。従来技術では、ＢＳＥに曝される可能性がある電子銃内のすべての表面を完全にクリーニングする手段を見出すことは困難であることが分かっている。分極したガス分子１５０は、局所的な電界の勾配によって、先端１０３に引きつけられ、先端１０３上に吸着する可能性があり、これは仕事関数を変化させ、放出電流の変動を引き起こす。引出電極１０８に対するビーム１０６の衝突は、引出電極１０８の領域１１０からガス分子１８２を脱離させることもある。これらの分子１８２は、その後、エミッタ先端１０３上に吸着する可能性があり、通常、局所的な仕事関数を増大させ、冷陰極電界放出電流を減少させるものとなる。ガス分子１８４は、ビーム１０６からの電子１８６によってイオン化され、次いで、イオン１４４の場合と同様に、負にバイアスされた先端１０３に引きつけられる。いくつかの場合では、先端１０３へのスパッタによる損傷は、電界放出を増加させるような部分的に非常に先鋭な部位を形成する可能性がある。この影響によって、破壊的、瞬間的な電界放出の増大が生じ、アーク放電とそれに続くエミッタ先端１０３の破壊を導いてしまう可能性がある。
【００２８】
図２は、従来技術による冷陰極電界放出型エミッタ電子源についての実験結果のグラフ２００であり、図１に示されたＣＦＥ電子源及び試験装置で観察され、時刻２０２の関数である放出の消失を示す。軸２０４に沿ってプロットされた正規化された電流は、図１の電流計１２２からの出力を表わす。なお、曲線２０６、２０８及び２１０について、軸２０４の値「１．０」は、最初に収集された電流を表わし、曲線２０６、２０８及び２１０での絶対値はそれぞれ異なっていることがある。ここで異なる三つの実験を比較する。１）曲線２０６は、ファラデーカップの電流を約１．５時間に渡って読み出したものであり、各測定（丸印で示す）の間で電子源をオフとした場合であり、初期の放出電流の合計は１００μＡであった。２）曲線２０８は、電子源を連続的に操作した場合を表わし、初期の放出電流の合計が８０μＡであった。そして、３）曲線２１０は、電子源を連続的に操作した場合を表わし、初期の放出電流の合計が１００μＡであった。曲線２０６と２０８と２１０との比較からいくつかの重要な結論を引き出すことができる。
１）３つの場合のすべてにおいて、正規化されたファラデーカップ電流は、１．５時間に満たない時間にかけて大幅に低下する。この時間フレームは、典型的な集束電子ビームシステムへ実際に適用するＣＦＥ電子源にとっては短すぎる。
２）オフモードの場合（曲線２０６）では、降下率は小さい。一部の電流の降下は、図１に示したイオン１４４及び１８４による先端１０３への衝撃などのビーム誘起であることが示される。
３）オンモードの場合（曲線２０８及び２１０）、降下率は、オフモード曲線２０６より高い。
４）初期の先端放出の合計がより高い場合（すなわち、曲線２０８の８０μＡと比較した曲線２１０の１００μＡ）、収集された電流の降下は、放出電流の合計が大きい場合、局所的なガスの脱離及びイオンによる衝撃が増加するので、より速くなる。つまり、ビーム誘起プロセスは電流降下に寄与していることが確認された。特に、１００μＡの曲線２１０の場合、降下率は極めて急激であり、０．２５時間（１５分）以内で、ファラデーカップの正規化された電流は約８０％も減少した。
【００２９】
図３は、図１などの従来の冷陰極電界放出型エミッタ（ＣＦＥ）電子源についての実験結果のグラフ３００であり、雑音の許容できないレベルを表わす。ビーム電流３０４（ｎＡ単位）は、ほぼ１０時間の範囲における時間３０２の関数としてプロットされている。実験の開始時あたりでも、電子源には、０．７５時間近くで突然始まり、１．５時間近くで減少し始め、実験において約３．０時間近く続く雑音３０６が表われる。この雑音は、従来技術のエミッタの特性であり、最終的なビーム電流（すなわち、図１のファラデーカップ１２０への電流）に寄与するエミッタ先端１０３上の物理領域が原子サイズに近いという事実から、少なくとも部分的に生じると考えられている。このように、１個の吸着分子でさえも、ここに見られる急速かつ振動性のある電流の変動につながるように、局所的な仕事関数に対して大きな影響を及ぼす可能性がある。この変動は、先端１０３上の対応する領域への吸着物及びそこから離れるものの速い運動から生じると考えられる。また、先端における速い原子運動は、それ自体、これらの変動に寄与すると考えられる。７．０時間近くでの雑音３０８のバーストも、急激なターンオン及びターンオフの挙動を表わす。
【００３０】
また、雑音は、期間３２０（４．２〜５．３時間）中も現れており、そして、再び期間３２２（６．２５時間近く）中で現れる。これは、期間３０６及び３０８の場合より低い周波数であるが、この低い周波数の雑音もまた、集束電子ビームシステムにおいて許容できない。最後に、右端の７．９時間近くでの時間フレーム３３０では、さらに大きな放出電流の変動が表われており、これは真空中の高電圧ブレークダウン（アーク放電）によるエミッタ先端の障害に先行する可能性がある。
【００３１】
図４は、電子源ベースにおいてガス脱離用のフィラメントを有する従来の冷陰極電界放出型エミッタ電子源の概略図４００である。ＣＦＥエミッタ先端４０３は、断面図に示すとおり、指向ワイヤ４０２の先鋭な末端を含み、典型的には、フィラメント４０４にスポット接合され、フィラメントは、順に、支柱４９０及び４９２に保持され、かかる支柱はディスク４８０などの絶縁構造体に接続される。フィラメント４９８は、支柱４９４と支柱４９６との間に接続され、支柱４９４と支柱４９６との間にはフィラメント４９８のジュール加熱を誘導するように電圧が印加される。バイアス電圧は、フィラメント４９８と引出電極４０８との間に印加される。このバイアス電圧は、引出電極４０８に向かってフィラメント４９８から熱電子放出される電子４２０を引きつけるのに役立つ。引出電極４０８上の吸着分子４２２に対する電子の衝突は、電子誘起脱離（ＥＩＤ）を引き起こす。電子４２０の数が十分な場合、吸着分子４２２の大部分を取り除くことができる。しかし残念なことに、従来技術では、典型的な電子銃構造内部の他の表面４３６及び４３８（実際の電子源の場合より全体的に先端４０３に近づけて示してある）は、十分な電子４２０の衝撃の流れを受けることがなく、そのため、４３４及び４４４などの元々の吸着物の層の部分がそれぞれ残されたままとなることが分かった。通常の電子源の操作において、これら吸着物４３４及び４４４の有害な影響は、図１において検討された。このように、電子源及び電子銃のインサイチュなクリーニングのための従来の方法に伴う根本的な問題は、電子銃内の表面から吸着物を十分に除去することができないことである。電子銃は、その後、エミッタ先端からの初期電子ビームの衝突に起因して引出電極から放出される後方散乱電子によって衝突を受けてしまう。従来技術のＣＦＥ電子源及び電子銃の設計において、エミッタ先端を覆う領域と電子銃全体構造との間の排出速度は、周囲ガスが先端から流れ去るようにできるだけ大きくされる。しかしながら、これは明らかにガスが先端に向かって流れることを許容してしまうものでもある。
【００３２】
［本発明の実施形態のＣＦＥ電子源設計］
図５は、ガス脱離モードで操作される、本発明の実施形態の冷陰極電界放出型エミッタ電子源の概略図５００である。ＣＦＥエミッタ先端５０３は先端ワイヤ５０２の先鋭な末端であり、先端ワイヤ５０２は典型的にはタングステンなどの高融点の金属の指向ワイヤである。先端ワイヤ５０２は、絶縁ディスク５８０に設けられた支柱５９０及び５９２によって支持されるフィラメント５０４にスポット接合されてもよい。エミッタワイヤ５０２及び先端５０３をクリーニングするために、支柱５９０と５９２との間に電圧を印加することによって、電流がフィラメント５０４を介して「フラッシュ」させることができ、それによってフィラメント５０４、ワイヤ５０２、先端５０３が、吸着物を除去するのに十分な高温で瞬間的にジュール加熱される。また、それによって、指向ワイヤ５０２の、又は、米国特許第７８８８６５４号（２０１１年２月１５日発行）に記載されたようなワイヤ５０２及び先端５０３の酸化タングステン（１１１）表面の基本の金属の仕事関数によって特徴付けられる、初期のクリーンな先端構造を復元することができる。この先端のフラッシングプロセスは、ワイヤ５０２及び先端５０３をクリーニングするのに有効であるが、引出電極５０８から吸着物を除去できず、また、図１に示したように、引出電極からのＢＳＥが衝突する可能性のある電子銃内の他の表面から吸着物を除去できない。したがって、より完全な電子源及び電子銃のクリーニング方法、つまり、図４に示された従来技術よりも吸着物をより完全に除去できることが好ましい。本発明では、図示のように開口５５４を有するエミッタ包囲電極５５２が設けられ、先端ワイヤ５０２がその開口を介して突き出る（典型的には、１．５ｍｍ以内）。先端５０３から引出電極５０８までの距離は、典型的には０．７５ｍｍ以内である。さらに、円形フィラメント５３０が、エミッタ包囲電極５５２と引出電極５０８との間に、先端ワイヤ５０２から放射状に外側に向かうように配置される。フィラメント５３０を用いた三つの異なるクリーニングモードが可能である。
【００３３】
１）理論的なＥＩＤ脱離−このモードでは、エミッタ包囲電極５５２及び引出電極５０８の内側表面は、フィラメント５３０（電気回路によって加熱）とエミッタ包囲電極５５２と引出電極５０８との間に印加される電圧によってフィラメント５３０から放出される電子５２０及び５２４による衝撃を利用してクリーニングされる。これは熱電子放出の電子５２０を引き起こすものである。吸着分子５２２及び５２６は、次いで、脱離され、排出される。エミッタ包囲電極５５２と引出電極５０８の対向する表面間の標準的なギャップは、１．８〜２．２ｍｍの範囲であり、これにより、脱離したガス分子を除去するための十分な放射状の排出速度を可能にする。
【００３４】
２）理論的な熱的脱離−このモードでは、フィラメント５３０はずっと加熱されているが、バイアス電圧は、フィラメント５３０とエミッタ包囲電極５５２又は引出電極５０８との間に印加される必要がない。吸着物質５２２及び５２６は、次いで、表面及び分子の熱的励起によって除去される。脱離物の排出は、上記第１のモードと同じである。短時間のうちに、４００°Ｃ超の温度がエミッタ包囲電極５５２及び引出電極５０８上に達して、効果的に吸着分子を除去することができる。
【００３５】
３）ＥＩＤ及び熱的脱離の組合わせ−このモードでは、吸着物質５２２及び５２６は、フィラメント５３０からの熱電子放出の電子５２０及び５２４の衝突、及び、加熱されたフィラメント５３０からの輻射熱の両方によって除去される。ギャップ５６０が、エミッタ包囲電極５５２と引出電極５０８との間に形成されている。いくつかの実施形態では、ギャップ５６２は、開口５５０からより離れるより、開口５５０に近づく方が広くなり、エミッタ先端の周囲の領域に部分的な囲い又は遮蔽を形成する。閉空間は、凹形状、すなわち、端部に比べて中央付近がより深くなったものを有してもよい。例えば、図５では、先端５０３に面する引出電極５０８の表面は、カウンタボアのような浅い窪み（〜０．４５ｍｍの深さ）を有し、このカウンタボアは、その窪みから離れたところでは、エミッタ包囲電極５５２と引出電極５０８との間の狭いギャップ５６０に接続され、先端５０３の周囲に部分的に閉じた空間を形成する。電子源の操作中、この部分的に閉じた空間は、エミッタ包囲電極５５２及び引出電極５０８の表面にイオン分子及び中性分子が生成することを制限するのに役立ち、他方で、窪みの底部で生成されたＢＳＥが電子銃内の他の表面（例えば、図１の表面１３６及び１３８）に到達するのを妨げる。エミッタ包囲電極５５２及び引出電極５０８の他の形状も同じ目的を達成することができる。例えば、エミッタの周囲に部分的に閉じた空間を形成するために、皿穴、カウンタボア又は曲面をエミッタ包囲電極５５２及び引出電極５０８のいずれか又はその両方に組み込むこともできる。
【００３６】
図６は、図５のＣＦＥ電子源が図１に示された軸上の放出電流の安定性を測定するための試験装置において冷陰極電界放出モードで操作する際の概略図６００である。図６を図１と比較すると、従来のＣＦＥ電子源を上回る本発明のいくつかの実施形態の利点が示される。図５に示したクリーニングプロセスは、先端５０３と引出電極５０８との間に印加される電圧によって誘導される電界により先端５０３から放出されたビーム６０２によって衝突を受けるすべての表面から、吸着分子を完全に除去した。したがって、引出電極５０８の内側表面６０４では、吸着物についてはあまり考慮しなくてよい。表面６０４から放出されたＢＳＥは、エミッタ包囲電極５５２と引出電極５０８のカウンタボアとの組み合わせによって閉じ込められ、したがって、表面４３６及び４３８（図示せず、図１参照）からのガスの脱離は生じない。電流測定の試験装置は、図１と同じである。ビーム６０２の一部６０６は、引出電極５０８の開口５５０を通過する。その結果生じるビーム６０６の大部分は、遮蔽板１１４の領域６１０で衝突するが、小さな中央の部分６１２は、開口１３０を介してファラデーカップ１２０に伝搬する。ファラデーカップ１２０によって収集された電流は、電流計１２２によって測定され、次いで、システムの接地部１２４に渡される。
【００３７】
［エミッタ先端領域の第１の実施形態］
図７は、冷陰極電界放出型エミッタ電子源の一部の概略図であり、エミッタ先端領域の第１の実施形態７００を示す。エミッタワイヤ７０２は、エミッタ先端７０３と引出電極７０８との間に印加される高電圧によって先端７０３に誘起される高電界の影響下で電子７１０を放出する先鋭な末端７０３を有する。先端７０３を囲む空間が、エミッタ包囲電極（ＥＥＥ）７５２と引出電極７０８との内側表面の間に形成される。クリーニングフィラメント７３０がＥＥＥ７５２と引出電極７０８との間に示されている。この第１の実施形態の電子源領域の設計において重要な考慮事項は、ＥＥＥ７５２及び引出電極７０８の外形と、ＥＥＥ７５２の内側表面と引出電極７０８の内側表面とを隔てるギャップとのアスペクト比である。このアスペクト比が大きければ、引出電極７０８の内側表面から生成される後方散乱電子が、図１に示す表面１３６及び１３８などの電子銃内の他の表面（おそらくクリーンでない）に衝突するのをもっと防ぐことができる。この第１の実施形態では、ＥＥＥ７５２及び引出電極７０８の内側表面は、その外径近くでは平らな表面として図示されている。したがって、引出電極７０８上の領域から大きな角度をもって放出された後方散乱電子７７１は、少数しか、ソース先端の領域から逃れることができない。また、ＥＥＥ７５２で大きな角度で反射された後方散乱電子７７２もまた、少数しか、ソース先端領域から逃れることができない。
【００３８】
［エミッタ先端領域の第２の実施形態］
図８は、本発明の冷陰極電界放出型エミッタ電子源の一部の概略図であり、エミッタ先端領域の第２の実施形態８００を示す。エミッタワイヤ８０２は、エミッタ先端８０３と引出電極８０８との間に印加される高電圧によって先端８０３に誘起される高電界の影響下で電子８１０を放出する先鋭な末端８０３を有する。クリーニングフィラメント８３０がＥＥＥ８５２と引出電極８０８との間に示されている。先端８０３を囲む空間が、エミッタ包囲電極（ＥＥＥ）８５２と引出電極８０８との内側表面の間に形成される。この実施形態では、引出電極８０８は外側の遮蔽リング８９０を有し、これは図示されたように、引出電極８０８上の領域８０４から放出された後方散乱電子８７１の脱出を阻止し、ＥＥＥ８５２で反射された後方散乱電子８７２の脱出を阻止する。この第２の実施形態においてＢＳＥを封じ込めるように改善したことによる利点は、ソース先端領域でのわずかに減少する排出速度に対して釣り合いがとれることである。この第２の実施形態のさらなる利点は、第１の実施形態７００の場合のアスペクト比の考慮事項がここでは外側の遮蔽リング８９０のためそれほど重要でなくなるので、ＥＥＥ８５２及び引出電極８０８の外径をより小さくできることである。
【００３９】
［エミッタ先端領域の第３の実施形態］
図９は、本発明の冷陰極電界放出型エミッタ電子源の一部の概略図であり、エミッタ先端領域の第３の実施形態９００を示す。エミッタワイヤ９０２は、エミッタ先端９０３と引出電極９０８との間に印加される高電圧によって先端９０３に誘起される高電界の影響下で電子９１０を放出する先鋭な末端９０３を有する。クリーニングフィラメント９３０がＥＥＥ９５２と引出電極９０８との間に示されている。先端９０３を囲む空間が、エミッタ包囲電極（ＥＥＥ）９５２と引出電極９０８との内側表面の間に形成される。この実施形態では、ＥＥＥ９５２は外側の遮蔽リング９９０を有し、これは図示されたように、引出電極８０８上の領域９０４から放出された後方散乱電子９７１の脱出を阻止し、ＥＥＥ９５２で反射された後方散乱電子９７２の脱出を阻止する。この第３の実施形態においてＢＳＥを封じ込めるように改善したことによる利点は、ソース先端領域でのわずかに減少する排出速度に対して釣り合いがとれることである。この第３の実施形態のさらなる利点は、第１の実施形態７００の場合のアスペクト比の考慮事項がここでは外側の遮蔽リング９９０のためそれほど重要でなくなるので、ＥＥＥ９５２及び引出電極９０８の外径をより小さくできることである。
【００４０】
［本発明のＣＦＥ電子源操作の実験結果］
図１０は、本発明を具体化した冷陰極電界放出型エミッタ電子源の態様での実験結果のグラフ１０００である。ファラデーカップ１２０（図１参照）上で収集されたビーム電流は、時間１００２（単位ｈｏｕｒｓ）の関数として軸１００４上にプロットされ、ほぼ９時間の電子源の操作にわたるものである。曲線１００６は、図３のデータと比較することができる。雑音の大幅な減少が認められ、特に、操作の最初の５時間については顕著である。ボックス１００８は、挿入図１０１０として拡大されており、曲線１０１２が曲線１００６の一部を４〜６時間に引き延ばされた時間スケール上でこの減少を強調するようにして示されている。本発明の各種実施形態には、したがって、以下の利点がある。
１）エミッタ先端から放出電流によって衝撃を受ける表面−先端に対向する引出電極の表面及び引出電極に対向するエミッタ包囲電極の表面の両方を含む−から吸着物を除去する。
２）エミッタ包囲電極によって、内部に流れるガスから、先端の空間を遮蔽する。
３）引出電極から放出されるＢＳＥから、電子銃の内側表面を遮蔽する。
４）加熱／衝撃のフィラメントが電子源の小さな空間の内部にあり、比較的短い時間で内部表面を十分にクリーニングすることができる。
５）電子源は標準的な電子源設置構造に基づいており、ＦＥＩ社（オレゴン州ヒルズボロ）より販売されているような商用の電子顕微鏡と互換性がある。
【００４１】
図１１は、冷陰極電界放出型エミッタ電子源の製造方法１１００を示す。ステップ１１０２では、エミッタ先端及びエミッタ軸を有するエミッタが提供される。エミッタの製造方法は、例えば、参照により本明細書に組み込まれる米国特許第７８８８６５４号に記載されている。ステップ１１０４では、エミッタ軸を中心として、それを介してエミッタが突き出ることができる開口を有するエミッタ包囲電極が提供される。ステップ１１０６では、エミッタ軸に沿って電子ビームが通過するための開口を有する引出電極が提供される。任意選択のステップ１１０８では、引出電極及びエミッタ包囲電極との間にフィラメント電極が備えられ、そのフィラメントは放出軸を中心とする環状であることが好ましい。そして、ステップ１１１０は、サブアセンブリやステップ１１０２、１１０４、１１０６、及び１１０８で提供された部品を使用して、冷陰極電界放出型エミッタ電子源を組み立てるのに必要なステップを備える。ステップ１１１０での電子源の組み立てにおいて、エミッタ包囲電極及び引出電極がエミッタ先端を含む閉じ込め空間を形成するように任意の方法で構成され、閉じ込め空間は、引出電極から後方散乱する電子の経路を制限したり、閉じ込め空間へのガスの流れを低減したりする。この閉じ込め空間は、エミッタ包囲電極に対向する窪みを有する引出電極を備えることによって形成されてもよい。
【００４２】
図１２は、本発明の実施形態の典型的な操作のフローチャート１２００を示す。ステップ１２０２では、はじめにエミッタ先端がフラッシュされ、次いで、クリーニングフィラメントを介して加熱電流を誘導するようにクリーニングフィラメントの両端に電圧を印加し、クリーニングフィラメンを高い温度でジュール加熱する。加熱電流は、典型的には１．５〜５．０Ａの範囲とすることができる。任意選択のステップ１２０４では、クリーニングフィラメントとエミッタ包囲電極及び引出電極の両方との間に、バイアス電圧が印加される。典型的なバイアス電圧は、数Ｖから数ｋＶの範囲とすることができ、フィラメント上の電圧がエミッタ包囲電極及び引出電極に対して負となる。ステップ１２０４が省略される場合、ステップ１２０６での電極のクリーニングは、熱単独（図５のモード２）のものとなる。ステップ１２０４が省略されない場合、フィラメント上での加熱とバイアス電圧との組み合わせが、ステップ１２０６においてクリーニングフィラメントからの熱電子放出を引き起こし、エミッタワイヤに対向するエミッタ包囲電極及び引出電極の表面に衝突を与え、電子の衝撃は、エミッタ包囲電極及び引出電極からの分子の電子衝突脱離を促す。これは、図５のモード１又はモード３のクリーニングモードに対応する。なお、エミッタ包囲電極と引出電極の表面からのガスの電子衝突脱離（ＥＩＤ）の場合、ある最小限の電子衝撃エネルギーが必要であり、通常、数ｅＶから数ｋｅＶまでの範囲である。あるいは、クリーニングされる電極にあるパワー（フィラメントへのバイアス電圧×電子電流の積として計算される）が与えられたとしても、衝撃電子が個々のガス分子を脱離するだけの十分なエネルギーを持たない場合、ガスの脱離は不十分となる可能性がある。反対に、熱によるガス脱離の場合、電極に付与される電力の合計は、クリーニング率にとっては主要な考慮事項である。クリーニングのステップ１２０６は、典型的には、数分から１〜２時間続く。クリーニングステップ１２０６の後、ステップ１２０８では加熱電流及びバイアス電圧はオフとなる。ステップ１２１０では、エミッタ先端がフラッシュされ、次いで、エミッタ先端から引出電極に向けて電子の冷陰極電界放出を生じさせるように、引出電圧が引出電極とエミッタとの間に印加される（エミッタ側が正の電圧）。引出電圧は、典型的には、１００Ｖ〜４０００Ｖの範囲であり、より典型的には１０００Ｖ〜３０００Ｖの範囲である。
【００４３】
本発明及びその利点について詳細に説明したが、ここに記載された実施形態に対しては、添付された特許請求の範囲により定められる本発明の趣旨及び範囲から逸脱することなく、様々な変更、置換及び修正が可能であると理解されるべきである。本発明の複数の態様は新規であり、すべての実施形態がすべての態様の使用を必要としているわけではない。例えば、エミッタ先端の後方のエミッタ包囲電極の使用、先端と引出電極との間のフィラメント電極の使用、及びエミッタ先端の周囲の閉空間の使用、及び特許性を有するものすべて。本発明の態様は、ショットキーエミッタなどの他のタイプのエミッタにも適用できる。さらに、本出願の範囲については、本明細書に記載されたプロセス、機械、製造物、組成物、手段、方法及びステップの特定の実施形態に限定されるものではない。当業者であれば、本発明、プロセス、機械、製造物、組成物、手段、方法又はステップの開示によって、既存の技術、又は本明細書に記載された実施形態に対応し、実質的に同じ機能を果たしたり、実質的に同じ効果を奏したりする将来技術についても、本発明に従って利用可能であると容易に理解することができる。したがって、添付された特許請求の範囲は、上記のようなプロセス、機械、製造物、組成物、手段、方法及びステップをその範囲に含むものである。
【符号の説明】
【００４４】
５００  電子源
５０２  エミッタワイヤ
５０３  エミッタ先端
５０８  引出電極
５３０  フィラメント
５５０  開口
５５２  エミッタ包囲電極
５５４  開口
【図１】
0006030313.tif 000002
【図２】
0006030313.tif 000003
【図３】
0006030313.tif 000004
【図４】
0006030313.tif 000005
【図５】
0006030313.tif 000006
【図６】
0006030313.tif 000007
【図７】
0006030313.tif 000008
【図８】
0006030313.tif 000009
【図９】
0006030313.tif 000010
【図１０】
0006030313.tif 000011
【図１１】
0006030313.tif 000012
【図１２】
0006030313.tif 000013